(57)【特許請求の範囲】
【請求項１】
無線通信システムにおける中継局の信号送受信方法において、
アクセスダウンリンク送信サブフレームで端末に制御信号を送信する段階と、及び、
基地局がバックホールダウンリンク送信サブフレームで送信したバックホールダウンリンク信号をバックホールダウンリンク受信サブフレームで受信する段階と、を含み、
前記アクセスダウンリンク送信サブフレーム及び前記バックホールダウンリンク送信サブフレームがサブフレーム境界に時間的に整列されて送信されるか否かによって前記バックホールダウンリンク信号送信に使われるＯＦＤＭシンボルが決定されることを特徴とする方法。
【請求項２】
前記アクセスダウンリンク送信サブフレーム及び前記バックホールダウンリンク送信サブフレームは、時間領域で第１のスロット及び第２のスロットで構成されることを特徴とする請求項１に記載の方法。
【請求項３】
前記第１のスロット及び前記第２のスロットの各々は、ノーマルＣＰで７個のＯＦＤＭシンボルを含み、拡張ＣＰで６個のＯＦＤＭシンボルを含むことを特徴とする請求項２に記載の方法。
【請求項４】
前記アクセスダウンリンク送信サブフレームと前記バックホールダウンリンク送信サブフレームがサブフレーム境界に時間的に整列されて送信される場合、前記バックホールダウンリンク送信サブフレームの第２のスロットで１番目のＯＦＤＭシンボルから６番目のＯＦＤＭシンボルが前記バックホールダウンリンク信号送信に使われることを特徴とする請求項３に記載の方法。
【請求項５】
前記アクセスダウンリンク送信サブフレームと前記バックホールダウンリンク送信サブフレームがサブフレーム境界に時間的に整列されずに送信される場合、前記バックホールダウンリンク送信サブフレームの第２のスロットで１番目のＯＦＤＭシンボルから７番目のＯＦＤＭシンボルが前記バックホールダウンリンク信号送信に使われることを特徴とする請求項３に記載の方法。
【請求項６】
前記アクセスダウンリンク送信サブフレームで最初のＫ個のシンボルを用いて前記端末に前記制御信号を送信する場合、前記バックホールダウンリンク送信サブフレームでシンボルインデックスがＫ＋１であるシンボルから最後のシンボルまでの時間区間で前記バックホールダウンリンク信号が送信され、前記シンボルインデックスは０から始まることを特徴とする請求項１に記載の方法。
【請求項７】
前記Ｋは、１または２であることを特徴とする請求項６に記載の方法。
【請求項８】
前記基地局からオフセット時間情報を受信する段階と、及び、
前記オフセット時間情報によって、前記アクセスダウンリンク送信サブフレームと前記バックホールダウンリンク受信サブフレームとの間の時間差を設定する段階と、をさらに含むことを特徴とする請求項１に記載の方法。
【請求項９】
前記制御信号が前記アクセスダウンリンク送信サブフレームで前記端末に送信される間の第１の時間区間の後に、前記バックホールダウンリンク信号が前記バックホールダウンリンク受信サブフレームで受信される間の第２の時間区間が続くことを特徴とする請求項１に記載の方法。
【請求項１０】
無線通信システムにおける中継局の信号送受信方法において、
中継局のダウンリンクサブフレーム内の第１の時間区間で端末に制御信号を送信する段階と、及び、
基地局が基地局のダウンリンクサブフレームで送信したバックホールダウンリンク信号を前記中継局のダウンリンクサブフレーム内の第２の時間区間で受信する段階と、を含み、
前記中継局のダウンリンクサブフレーム及び前記基地局のダウンリンクサブフレームがサブフレーム境界に時間的に整列されて送信されるか否かによって前記バックホールダウンリンク信号送信に使われるＯＦＤＭシンボルが決定されることを特徴とする方法。
【請求項１１】
無線通信システムにおいて信号を送受信する装置であって、
無線信号を送受信するＲＦ部と、及び、
前記ＲＦ部に連結されるプロセッサと、を含み、
前記プロセッサは、アクセスダウンリンク送信サブフレームで端末に制御信号を送信し、基地局がバックホールダウンリンク送信サブフレームで送信したバックホールダウンリンク信号をバックホールダウンリンク受信サブフレームで受信し、
前記アクセスダウンリンク送信サブフレーム及び前記バックホールダウンリンク送信サブフレームがサブフレーム境界に時間的に整列されて送信されるか否かによって前記バックホールダウンリンク信号送信に使われるＯＦＤＭシンボルが決定されることを特徴とする装置。
【発明の詳細な説明】
【技術分野】
【０００１】
本発明は、無線通信に関し、より詳しくは、中継局を含む無線通信システムにおける信号を送信する方法に関する。
【背景技術】
【０００２】
ＩＴＵ-Ｒ(Ｉｎｔｅｒｎａｔｉｏｎａｌ Ｔｅｌｅｃｏｍｍｕｎｉｃａｔｉｏｎ Ｕｎｉｏｎ Ｒａｄｉｏ ｃｏｍｍｕｎｉｃａｔｉｏｎ ｓｅｃｔｏｒ)では、第３世代以後の次世代移動通信システムであるＩＭＴ(Ｉｎｔｅｒｎａｔｉｏｎａｌ Ｍｏｂｉｌｅ Ｔｅｌｅｃｏｍｍｕｎｉｃａｔｉｏｎ)-Ａｄｖａｎｃｅｄの標準化作業を進行している。ＩＭＴ-Ａｄｖａｎｃｅｄは、停止及び低速移動状態で１Ｇｂｐｓ、高速移動状態で１００Ｍｂｐｓのデータ送信率にＩＰ(Ｉｎｔｅｒｎｅｔ Ｐｒｏｔｏｃｏｌ)基盤のマルチメディアサービスサポートを目標にする。
【０００３】
３ＧＰＰ(３ｒｄ Ｇｅｎｅｒａｔｉｏｎ Ｐａｒｔｎｅｒｓｈｉｐ Ｐｒｏｊｅｃｔ)は、ＩＭＴ-Ａｄｖａｎｃｅｄの要求事項を満たすシステム標準として、ＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)/ＳＣ-ＦＤＭＡ(Ｓｉｎｇｌｅ Ｃａｒｒｉｅｒ-Ｆｒｅｑｕｅｎｃｙ Ｄｉｖｉｓｉｏｎ Ｍｕｌｔｉｐｌｅ Ａｃｃｅｓｓ)送信方式基盤であるＬＴＥ(Ｌｏｎｇ Ｔｅｒｍ Ｅｖｏｌｕｔｉｏｎ)を改善したＬＴＥ-Ａｄｖａｎｃｅｄを準備している。ＬＴＥ-Ａｄｖａｎｃｅｄは、ＩＭＴ-Ａｄｖａｎｃｅｄのための有力な候補中の一つである。ＬＴＥ-Ａｄｖａｎｃｅｄの主要技術に中継局(ｒｅｌａｙ ｓｔａｔｉｏｎ)技術が含まれる。
【０００４】
中継局は、基地局と端末との間で信号を中継する装置であり、無線通信システムのセルカバレッジ(ｃｅｌｌ ｃｏｖｅｒａｇｅ)を拡張させ、処理量(ｔｈｒｏｕｇｈｐｕｔ)を向上させるために使われる。
【０００５】
中継局を含む無線通信システムにおける基地局と中継局との間の信号送信方法は、現在多くの研究が進行中である。基地局と中継局との間の信号送信に、従来の基地局と端末との間の信号送信方法をそのまま使用することは問題がある。
【０００６】
従来の基地局と端末との間の信号送信方法で、一般的に、端末は時間領域で見る時、一つのサブフレームの全体にわたって信号を送信する。端末がサブフレームの全体で信号を送信する一つの理由は、端末が消耗する瞬間最大電力を減らすために信号を送信する各チャネルの持続時間を可能な限り長く設定するためである。
【０００７】
然しながら、中継局は時間領域で見る時、一つのサブフレームの全体にわたって信号を送信したり、或いは受信することができない場合が発生する。中継局は、普通複数の端末を対象に信号を中継するため、頻繁な受信モードと送信モードとのスイッチング(ｓｗｉｔｃｈｉｎｇ)が発生する。このような受信モードと送信モードとの間のスイッチングの際、受信モード区間と送信モード区間との間には信号間干渉を防止し、動作安定化のために中継局が信号を送信したり、或いは受信しない所定の時間区間(以下、保護区間(ｇｕａｒｄ ｔｉｍｅ)という)が必要である。
【０００８】
このような保護区間により、中継局は、端末と異なってサブフレームの全体にわたって信号を送信したり、或いは受信することができない場合が発生するため、従来の基地局と端末との間の信号送信方法をそのまま使用することができない。
【０００９】
また、中継局は、端末に比べて電力の制約が少なく、一般的に基地局とのチャネル状態が良好であるという点で従来基地局と端末との間の信号送信方法を基地局と中継局との間の信号送信にそのまま使用する必要はない。
【００１０】
中継局を含む無線通信システムにおける新しい信号送信方法が要求される。
【発明の概要】
【発明が解決しようとする課題】
【００１１】
本発明の解決しようとする技術的課題は、中継局を含む無線通信システムにおける信号を送信する方法を提供することである。
【課題を解決するための手段】
【００１２】
無線通信システムにおける中継局の信号送受信方法は、基地局からオフセット時間情報を受信する段階；前記オフセット時間情報によって、中継局端末にアクセスダウンリンク信号を送信するアクセスダウンリンク送信サブフレームと、前記基地局からバックホールダウンリンク信号を受信するバックホールダウンリンク受信サブフレームとの間の時間差を設定する段階；前記バックホールダウンリンク送信サブフレームで中継局端末に制御信号を送信する段階；及び、前記バックホールダウンリンク受信サブフレームで前記基地局からバックホールダウンリンク信号を受信する段階；を含む。
【発明の効果】
【００１３】
中継局を含む無線通信システムにおける信号の送信を効率的にすることができる。
【図面の簡単な説明】
【００１４】
【図１】中継局を含む無線通信システムを示す。
【図２】３ＧＰＰ ＬＴＥの無線フレーム(ｒａｄｉｏ ｆｒａｍｅ)構造を示す。
【図３】一つのダウンリンクスロットに対するリソースグリッド(ｒｅｓｏｕｒｃｅ ｇｒｉｄ)を示す例示図である。
【図４】ダウンリンクサブフレームの構造を示す。
【図５】アップリンクサブフレームの構造を示す。
【図６】中継局が実行することができる動作と制限要件を示す。
【図７】サブフレーム内で保護区間が配置される例を示す。
【図８】サブフレーム内で保護区間が配置される例を示す。
【図９】伝達遅延時間及びオフセット時間を示す。
【図１０】基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す。
【図１１】基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【図１２】基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【図１３】基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【図１４】基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【図１５】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図１６】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図１７】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図１８】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図１９】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図２０】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図２１】中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。
【図２２】基地局、中継局、及び中継局端末を含む無線通信システムにおける時間関係を示す一例である。
【図２３】基地局、中継局、及び中継局端末を含む無線通信システムにおける時間関係を示す他の例である。
【図２４】基地局、中継局、及び中継局端末を含む無線通信システムにおける時間関係を示す他の例である。
【図２５】基地局、中継局、及び中継局端末を含む無線通信システムにおける時間関係を示す他の例である。
【図２６】基地局、中継局、及び中継局端末を含む無線通信システムにおける時間関係を示す他の例である。
【図２７】基地局、中継局、及び中継局端末を含む無線通信システムにおける時間関係を示す他の例である。
【図２８】基地局、中継局、及び中継局端末を含む無線通信システムにおける時間関係を示す他の例である。
【図２９】基地局、中継局、及び中継局端末を含む無線通信システムにおける時間関係を示す他の例である。
【図３０】基地局、中継局、及び中継局端末を含む無線通信システムにおける時間関係を示す他の例である。
【図３１】基地局、中継局、及び中継局端末の時間関係(ｔｉｍｉｎｇ ｒｅｌａｔｉｏｎｓｈｉｐ)を示す一例である。
【図３２】基地局、中継局、及び中継局端末の時間関係を示す他の例である。
【図３３】基地局、中継局、及び中継局端末の時間関係を示す他の例である。
【図３４】基地局、中継局、及び中継局端末の時間関係を示す他の例である。
【図３５】基地局、中継局、及び中継局端末の時間関係を示す他の例である。
【図３６】基地局、中継局、及び中継局端末の時間関係を示す他の例である。
【図３７】バックホールＳＲＳを送信するＢ-ＵＬ Ｔｘサブフレームのシンボルインデックスを例示する。
【図３８】バックホールＳＲＳを送信するＢ-ＵＬ Ｔｘサブフレームのシンボルインデックスを例示する。
【図３９】ソース局及び宛先局を示すブロック図である。
【発明を実施するための形態】
【００１５】
３ＧＰＰ(３ｒｄ Ｇｅｎｅｒａｔｉｏｎ Ｐａｒｔｎｅｒｓｈｉｐ Ｐｒｏｊｅｃｔ)標準化機構によるＬＴＥ(Ｌｏｎｇ Ｔｅｒｍ Ｅｖｏｌｕｔｉｏｎ)は、Ｅ-ＵＴＲＡＮ(Ｅｖｏｌｖｅｄ-Ｕｎｉｖｅｒｓａｌ Ｔｅｒｒｅｓｔｒｉａｌ Ｒａｄｉｏ Ａｃｃｅｓｓ Ｎｅｔｗｏｒｋ)を使用するＥ-ＵＭＴＳ(Ｅｖｏｌｖｅｄ-ＵＭＴＳ)の一部であり、ダウンリンクでＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)を採用し、アップリンクでＳＣ-ＦＤＭＡ(Ｓｉｎｇｌｅ Ｃａｒｒｉｅｒ-Ｆｒｅｑｕｅｎｃｙ Ｄｉｖｉｓｉｏｎ Ｍｕｌｔｉｐｌｅ Ａｃｃｅｓｓ)を採用する。ＬＴＥ-Ａ(Ａｄｖａｎｃｅｄ)はＬＴＥの進化である。以下、説明を明確にするために、３ＧＰＰ ＬＴＥ/ＬＴＥ-Ａを中心に記述するが、本発明の技術的思想がこれに制限されるものではない。
【００１６】
図１は、中継局を含む無線通信システムを示す。
【００１７】
図１を参照すると、中継局を含む無線通信システム１０は少なくとも一つの基地局(Ｂａｓｅ Ｓｔａｔｉｏｎ；ＢＳ)１１を含む。各基地局１１は一般的にセル(ｃｅｌｌ)と呼ばれる特定の地理的領域１５に対して通信サービスを提供する。また、セルは複数の領域に分けられ、各々の領域はセクター(ｓｅｃｔｏｒ)という。一つの基地局には一つ以上のセルが存在することができる。基地局１１は、一般的に端末１３と通信する固定局(ｆｉｘｅｄ ｓｔａｔｉｏｎ)を意味し、ｅＮＢ(ｅｖｏｌｖｅｄ ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)、ＡＮ(Ａｃｃｅｓｓ Ｎｅｔｗｏｒｋ)等、他の用語で呼ばれることができる。基地局１１は、中継局１２と端末１４との間の連結性(ｃｏｎｎｅｃｔｉｖｉｔｙ)、管理(ｍａｎａｇｅｍｅｎｔ)、制御、及びリソース割当のような機能を遂行することができる。
【００１８】
中継局(Ｒｅｌａｙ Ｓｔａｔｉｏｎ；ＲＳ)１２は、基地局１１と端末１４との間で信号を中継する機器を意味し、ＲＮ(Ｒｅｌａｙ Ｎｏｄｅ)、リピーター(ｒｅｐｅａｔｅｒ)、中継器など、他の用語で呼ばれることができる。中継局で使用する中継方式に、ＡＦ(ａｍｐｌｉｆｙ ａｎｄ ｆｏｒｗａｒｄ)及びＤＦ(ｄｅｃｏｄｅ ａｎｄ ｆｏｒｗａｒｄ)等、いずれの方式を使用することができ、本発明の技術的思想はこれに制限されるものではない。
【００１９】
端末(Ｕｓｅｒ Ｅｑｕｉｐｍｅｎｔ；ＵＥ)１３、１４は、固定されたり、或いは移動性を有することができ、ＭＳ(Ｍｏｂｉｌｅ Ｓｔａｔｉｏｎ)、ＵＴ(Ｕｓｅｒ Ｔｅｒｍｉｎａｌ)、ＳＳ(Ｓｕｂｓｃｒｉｂｅｒ Ｓｔａｔｉｏｎ)、無線機器(Ｗｉｒｅｌｅｓｓ Ｄｅｖｉｃｅ)、ＰＤＡ(Ｐｅｒｓｏｎａｌ Ｄｉｇｉｔａｌ Ａｓｓｉｓｔａｎｔ)、無線モデム(Ｗｉｒｅｌｅｓｓ Ｍｏｄｅｍ)、携帯機器(Ｈａｎｄｈｅｌｄ Ｄｅｖｉｃｅ)、ＡＴ(Ａｃｃｅｓｓ Ｔｅｒｍｉｎａｌ)等、他の用語で呼ばれることができる。以下、マクロ端末(ｍａｃｒｏ ＵＥ；ＭａＵＥ)１３は基地局１１と直接通信する端末であり、中継局端末(ｒｅｌａｙ ＵＥ；ＲｅＵＥ)１４は中継局と通信する端末である。基地局１１のセル内にあるマクロ端末１３であるとしても、ダイバーシティ効果による送信速度の向上のために中継局１２を経て基地局１１と通信することができる。
【００２０】
以下、基地局１１とマクロ端末１３との間のリンクをマクロリンク(ｍａｃｒｏ ｌｉｎｋ)という。マクロリンクは、マクロダウンリンクとマクロアップリンクに区分されることができる。マクロダウンリンク(ｍａｃｒｏｄｏｗｎ ｌｉｎｋ；Ｍ-ＤＬ)は基地局１１からマクロ端末１３への通信を意味し、マクロアップリンク(ｍａｃｒｏ ｕｐｌｉｎｋ；Ｍ-ＵＬ)はマクロ端末１３から基地局１１への通信を意味する。
【００２１】
基地局１１と中継局１２との間のリンクはバックホール(ｂａｃｋｈａｕｌ)リンクという。バックホールリンクは、バックホールダウンリンク(ｂａｃｋｈａｕｌ ｄｏｗｎｌｉｎｋ；Ｂ-ＤＬ)とバックホールアップリンク(ｂａｃｋｈａｕｌ ｕｐｌｉｎｋ；Ｂ-ＵＬ)に区分されることができる。バックホールダウンリンクは基地局１１から中継局１２への通信を意味し、バックホールアップリンクは中継局１２から基地局１１への通信を意味する。
【００２２】
中継局１２と中継局端末１４との間のリンクはアクセスリンク(ａｃｃｅｓｓ ｌｉｎｋ)という。アクセスリンクは、アクセスダウンリンク(ａｃｃｅｓｓ ｄｏｗｎｌｉｎｋ；Ａ-ＤＬ)とアクセスアップリンク(ａｃｃｅｓｓ ｕｐｌｉｎｋ；Ａ-ＵＬ)に区分されることができる。アクセスダウンリンクは中継局１２から中継局端末１４への通信を意味し、アクセスアップリンクは中継局端末１４から中継局１２への通信を意味する。
【００２３】
中継局を含む無線通信システム１０は双方向通信をサポートするシステムである。双方向通信は、ＴＤＤ(Ｔｉｍｅ Ｄｉｖｉｓｉｏｎ Ｄｕｐｌｅｘ)モード、ＦＤＤ(Ｆｒｅｑｕｅｎｃｙ Ｄｉｖｉｓｉｏｎ Ｄｕｐｌｅｘ)モードなどを用いて実行されることができる。ＴＤＤモードは、アップリンク送信とダウンリンク送信で互いに異なる時間リソースを使用する。ＦＤＤモードは、アップリンク送信とダウンリンク送信で互いに異なる周波数リソースを使用する。
【００２４】
図２は、３ＧＰＰ ＬＴＥの無線フレーム(ｒａｄｉｏ ｆｒａｍｅ)構造を示す。
【００２５】
図２を参照すると、無線フレーム(ｒａｄｉｏ ｆｒａｍｅ)は１０個のサブフレーム(ｓｕｂｆｒａｍｅ)で構成され、一つのサブフレームは２個のスロット(ｓｌｏｔ)で構成される。一つのサブフレームの送信にかかる時間をＴＴＩ(ｔｒａｎｓｍｉｓｓｉｏｎ ｔｉｍｅ ｉｎｔｅｒｖａｌ)という。例えば、一つのサブフレームの長さは１ｍｓであり、一つのスロットの長さは０.５ｍｓである。
【００２６】
図２を参照して説明した無線フレームの構造は、３ＧＰＰ ＴＳ ３６.２１１ Ｖ８.３.０(２００８-０５)「Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ-ＵＴＲＡ)；Ｐｈｙｓｉｃａｌ Ｃｈａｎｎｅｌｓａｎｄ Ｍｏｄｕｌａｔｉｏｎ(Ｒｅｌｅａｓｅ８)」の４.１節及び４.２節を参照することができる。
【００２７】
図３は、一つのダウンリンクスロットに対するリソースグリッド(ｒｅｓｏｕｒｃｅ ｇｒｉｄ)を示す例示図である。
【００２８】
ＦＤＤ及びＴＤＤ無線フレームにおける一つのスロットは、時間領域(ｔｉｍｅ ｄｏｍａｉｎ)で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含み、周波数領域で複数のリソースブロック(ｒｅｓｏｕｒｃｅ ｂｌｏｃｋ；ＲＢ)を含む。ＯＦＤＭシンボルは、３ＧＰＰ ＬＴＥがダウンリンクでＯＦＤＭＡを使用するため、一つのシンボル区間(ｓｙｍｂｏｌ ｐｅｒｉｏｄ ｏｒ ｓｙｍｂｏｌ ｔｉｍｅ)を表現するためのものであり、多重接続方式によってＳＣ-ＦＤＭＡシンボルということができる。以下、シンボル区間は一つのＯＦＤＭシンボルまたは一つのＳＣ-ＦＤＭＡシンボルを意味する。リソースブロックは、リソース割当単位に一つのスロットで複数の連続する副搬送波(ｓｕｂｃａｒｒｉｅｒ)を含む。
【００２９】
図３を参照すると、スロット(例えば、ダウンリンクサブフレームに含まれたダウンリンクスロット)は、時間領域(ｔｉｍｅ ｄｏｍａｉｎ)で複数のＯＦＤＭシンボルを含む。ここで、一つのダウンリンクスロットは７ＯＦＤＭシンボルを含み、一つのリソースブロックは周波数領域で１２副搬送波を含むことを例示的に記述するが、これに制限されるものではない。
【００３０】
リソースグリッド上の各要素(ｅｌｅｍｅｎｔ)をリソース要素(ｒｅｓｏｕｒｃｅ ｅｌｅｍｅｎｔ)といい、一つのリソースブロック(ｒｅｓｏｕｒｃｅ ｂｌｏｃｋ)は１２×７個のリソース要素を含む。ダウンリンクスロットに含まれるリソースブロックの数ＮDLはセルで設定されるダウンリンク送信帯域幅(ｂａｎｄｗｉｄｔｈ)に従属する。
【００３１】
図４は、ダウンリンクサブフレームの構造を示す。
【００３２】
図４を参照すると、サブフレームは２個の連続的な(ｃｏｎｓｅｃｕｔｉｖｅ)スロットを含む。サブフレーム内で第１のスロットの前方部の３ＯＦＤＭシンボルは、ＰＤＣＣＨが割り当てられる制御領域(ｃｏｎｔｒｏｌ ｒｅｇｉｏｎ)であり、残りのＯＦＤＭシンボルは、ＰＤＳＣＨが割り当てられるデータ領域(ｄａｔａ ｒｅｇｉｏｎ)である。制御領域にはＰＤＣＣＨ外にもＰＣＦＩＣＨ、ＰＨＩＣＨなどの制御チャネルが割り当てられることができる。端末は、ＰＤＣＣＨを介して送信される制御情報をデコーディングし、ＰＤＳＣＨを介して送信されるデータ情報を読み込むことができる。ここで、制御領域が３ＯＦＤＭシンボルを含むことは例示に過ぎず、制御領域には２ＯＦＤＭシンボルまたは１ＯＦＤＭシンボルが含まれることができる。サブフレーム内の制御領域が含むＯＦＤＭシンボルの数は、ＰＣＦＩＣＨを介して知ることができる。
【００３３】
制御領域は、複数のＣＣＥ(ｃｏｎｔｒｏｌ ｃｈａｎｎｅｌ ｅｌｅｍｅｎｔｓ)である論理的なＣＣＥ列で構成される。ＣＣＥ列は、一つのサブフレーム内で制御領域を構成する全体ＣＣＥの集合である。ＣＣＥは、複数のリソース要素グループ(ｒｅｓｏｕｒｃｅ ｅｌｅｍｅｎｔ ｇｒｏｕｐ)に対応される。例えば、ＣＣＥは、９リソース要素グループに対応されることができる。リソース要素グループは、リソース要素で制御チャネルをマッピングすることを定義するために使われる。例えば、一つのリソース要素グループは４個のリソース要素で構成されることができる。
【００３４】
複数のＰＤＣＣＨが制御領域内で送信されることができる。ＰＤＣＣＨはスケジューリング割当のような制御情報(ｃｏｎｔｒｏｌ ｉｎｆｏｒｍａｔｉｏｎ)を運ぶ。ＰＤＣＣＨは、一つまたは複数の連続的なＣＣＥ(ｃｏｎｔｒｏｌ ｃｈａｎｎｅｌ ｅｌｅｍｅｎｔｓ)の集団(ａｇｇｒｅｇａｔｉｏｎ)上に送信される。ＣＣＥ集団を構成するＣＣＥの数(Ｎｕｍｂｅｒ ｏｆ ＣＣＥｓ)によってＰＤＣＣＨのフォーマット及び可能なＰＤＣＣＨのビット数が決定される。ＰＤＣＣＨ送信のために使われるＣＣＥの数をＣＣＥ集団レベル(ａｇｇｒｅｇａｔｉｏｎ ｌｅｖｅｌ)という。また、ＣＣＥ集団レベルはＰＤＣＣＨを検索するためのＣＣＥ単位である。ＣＣＥ集団レベルの大きさは隣接するＣＣＥの数で定義される。例えば、ＣＣＥ集団レベルは｛１,２,４,８｝の元素である。
【００３５】
ＰＤＣＣＨを介して送信される制御情報をダウンリンク制御情報(ｄｏｗｎｌｉｎｋ ｃｏｎｔｒｏｌ ｉｎｆｏｒｍａｔｉｏｎ；以下、ＤＣＩ)という。ＤＣＩは、アップリンクスケジューリング情報、ダウンリンクスケジューリング情報、システム情報(ｓｙｓｔｅｍ ｉｎｆｏｒｍａｔｉｏｎ)、アップリンク電力制御命令(ｐｏｗｅｒ ｃｏｎｔｒｏｌ ｃｏｍｍａｎｄ)、ページングのための制御情報、ランダムアクセス応答(ＲＡＣＨ ｒｅｓｐｏｎｓｅ)を指示するための制御情報などを含む。
【００３６】
ＤＣＩフォーマットには、ＰＵＳＣＨ(Ｐｈｙｓｉｃａｌ Ｕｐｌｉｎｋ Ｓｈａｒｅｄ Ｃｈａｎｎｅｌ)スケジューリングのためのフォーマット０、一つのＰＤＳＣＨ(Ｐｈｙｓｉｃａｌ Ｄｏｗｎｌｉｎｋ Ｓｈａｒｅｄ ｃｈａｎｎｅｌ)コードワードのスケジューリングのためのフォーマット１、一つのＰＤＳＣＨコードワードの簡単な(ｃｏｍｐａｃｔ)スケジューリングのためのフォーマット１Ａ、空間多重化モードで単一コードワードのランク-１送信に対する簡単なスケジューリングのためのフォーマット１Ｂ、ＤＬ-ＳＣＨ(Ｄｏｗｎｌｉｎｋ Ｓｈａｒｅｄ Ｃｈａｎｎｅｌ)の非常に簡単なスケジューリングのためのフォーマット１Ｃ、多重ユーザ空間多重化モードでＰＤＳＣＨスケジューリングのためのフォーマット１Ｄ、閉ループ(Ｃｌｏｓｅｄ-ｌｏｏｐ)空間多重化モードでＰＤＳＣＨスケジューリングのためのフォーマット２、開ループ(Ｏｐｅｎ-ｌｏｏｐ)空間多重化モードでＰＤＳＣＨスケジューリングのためのフォーマット２Ａ、ＰＵＣＣＨ及びＰＵＳＣＨのための２ビット電力調節のＴＰＣ(Ｔｒａｎｓｍｉｓｓｉｏｎ Ｐｏｗｅｒ Ｃｏｎｔｒｏｌ)命令の送信のためのフォーマット３、及びＰＵＣＣＨ及びＰＵＳＣＨのための１ビット電力調節のＴＰＣ命令の送信のためのフォーマット３Ａなどがある。
【００３７】
図５は、アップリンクサブフレームの構造を示す。
【００３８】
図５を参照すると、アップリンクサブフレームは、周波数領域でアップリンク制御情報を運ぶＰＵＣＣＨ(Ｐｈｙｓｉｃａｌ Ｕｐｌｉｎｋ Ｃｏｎｔｒｏｌ Ｃｈａｎｎｅｌ)が割り当てられる制御領域(ｒｅｇｉｏｎ)と、ユーザデータを運ぶＰＵＳＣＨ(Ｐｈｙｓｉｃａｌ Ｕｐｌｉｎｋ Ｓｈａｒｅｄ Ｃｈａｎｎｅｌ)が割り当てられるデータ領域とに、分けられる。
【００３９】
一つの端末に対するＰＵＣＣＨは、サブフレームでリソースブロック(ＲＢ)対(ｐａｉｒ)５１、５２に割り当てられ、ＲＢ対に属するＲＢ５１、５２は、２個のスロットの各々で互いに異なる副搬送波を占める。これをＰＵＣＣＨに割り当てられるＲＢ対がスロット境界(ｓｌｏｔ ｂｏｕｎｄａｒｙ)で周波数跳躍(ｆｒｅｑｕｅｎｃｙ ｈｏｐｐｉｎｇ)されるという。
【００４０】
ＰＵＣＣＨは多重フォーマットをサポートすることができる。即ち、変調方式(ｍｏｄｕａｌｔｉｏｎ ｓｃｈｅｍｅ)によってサブフレーム当たり互いに異なるビット数を有するアップリンク制御情報を送信することができる。例えば、ＢＰＳＫ(Ｂｉｎａｒｙ Ｐｈａｓｅ Ｓｈｉｆｔ Ｋｅｙｉｎｇ)を使用する場合(ＰＵＣＣＨフォーマット１ａ)、１ビットのアップリンク制御情報をＰＵＣＣＨ上に送信することができ、ＱＰＳＫ(Ｑｕａｄｒａｔｕｒｅ Ｐｈａｓｅ Ｓｈｉｆｔ Ｋｅｙｉｎｇ)を使用する場合(ＰＵＣＣＨフォーマット１ｂ)、２ビットのアップリンク制御情報をＰＵＣＣＨ上に送信することができる。ＰＵＣＣＨフォーマットは、その他にもフォーマット１、フォーマット２、フォーマット２ａ、フォーマット２ｂなどがある(これは３ＧＰＰ ＴＳ ３６.２１１ Ｖ８.２.０(２００８-０３)「Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ；Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ-ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ８)」の５.４節を参照することができる)。
【００４１】
図６は、中継局が実行することができる動作と制限要件を示す。
【００４２】
中継局は、基地局との関係でバックホールアップリンク送信(Ｂ-ＵＬ Ｔｘ)、バックホールダウンリンク受信(Ｂ-ＤＬ Ｒｘ)を実行することができる。基地局は、中継局との関係でバックホールダウンリンク送信(Ｂ-ＤＬ Ｔｘ)、バックホールアップリンク受信(Ｂ-ＵＬ Ｒｘ)を実行することができる。
【００４３】
中継局は、中継局端末との関係でアクセスダウンリンク送信(Ａ-ＤＬ Ｔｘ)、アクセスアップリンク受信(Ａ-ＵＬ Ｒｘ)を実行することができる。中継局端末は、中継局との関係でアクセスアップリンク送信(Ａ-ＵＬ Ｔｘ)、アクセスダウンリンク受信(Ａ-ＤＬ Ｒｘ)を実行することができる。
【００４４】
図６には示していないが、基地局は、マクロ端末との関係でマクロダウンリンク送信(Ｍ-ＤＬ Ｔｘ)、マクロアップリンク受信(Ｍ-ＵＬ Ｒｘ)を実行することができる。
【００４５】
一般的に中継局は自己干渉(ｓｅｌｆ ｉｎｔｅｒｆｅｒｅｎｃｅ)により同一周波数帯域で同時に信号を送信したり、或いは受信することができない。即ち、中継局は、バックホールダウンリンク受信(Ｂ-ＤＬ Ｒｘ)とアクセスダウンリンク送信(Ａ-ＤＬ Ｔｘ)を同時に実行することができない。また、中継局は、バックホールアップリンク送信(Ｂ-ＵＬ Ｔｘ)とアクセスアップリンク受信(Ａ-ＵＬ Ｒｘ)を同時に実行することができない。従って、同一な周波数帯域で信号の送信、受信は互いに異なるサブフレームで実行される。
【００４６】
また、一般的に中継局はバックホールダウンリンク受信(Ｂ-ＤＬ Ｒｘ)とアクセスダウンリンク送信(Ａ-ＤＬ Ｔｘ)とのスイッチングの際、保護区間(ｇｕａｒｄ ｔｉｍｅ、またはｇｕａｒｄ ｐｅｒｉｏｄ)が必要である。同様に、バックホールアップリンク送信(Ｂ-ＵＬ Ｔｘ)とアクセスアップリンク受信(Ａ-ＵＬ Ｒｘ)との間のスイッチングの際、保護区間が必要である。中継局で使われるアナログ増幅器(ａｎａｌｏｇ ａｍｐｌｉｆｉｅｒ)の遷移時間(ｔｒａｎｓｉｅｎｔ ｔｉｍｅ)特性を考慮する時、保護区間は略２０マイクロ秒(μｓ)程度である。
【００４７】
図７及び図８は、サブフレーム内で保護区間が配置される例を示す。
【００４８】
保護区間は１シンボル(例えば、１ＯＦＤＭシンボルまたは１ＳＣ-ＦＤＭＡシンボル)より小さい時間区間である。即ち、保護区間は、時間側面で１シンボルの一部分である。保護区間の位置及び時間区間の大きさは、バックホールサブフレームの構造とアクセスサブフレーム間の時間関係によって多様に変更されることができる。例えば、保護区間のうちいずれか一つが図７のようにサブフレームの中央のシンボルに位置することもでき、図８のように各保護区間がサブフレームの最初及び最後のシンボルに位置することもできる。３ＧＰＰ ＬＴＥではスケジューリングの最小単位がサブフレームである。従って、中継局は、バックホールリンクとアクセスリンクで送信/受信スイッチングを実行する場合、サブフレーム単位にこのようなスイッチングを実行するようになる。この時、保護区間は図８のようにサブフレームの最初のシンボル及び最後のシンボルに位置するようになる。一つのシンボル内に保護区間が位置するようになると、保護区間が１シンボルより小さい時間区間を占めるとしても該当シンボルを使用することができなくなる(図７及び図８で使用することができないシンボルの一部分を「Ｎ」で表している)。即ち、保護区間を含むシンボルは浪費される。
【００４９】
また、３ＧＰＰ ＬＴＥではサブフレームの最後のシンボルでアップリンクスケジューリングのためのＳＲＳ(ｓｏｕｎｄｉｎｇ ｒｅｆｅｒｅｎｃｅ ｓｉｇｎａｌ)を送信する。前述した通り、保護区間によりサブフレームの最後のシンボルを使用することができない場合、中継局はＳＲＳを送信するのは難しい。
【００５０】
このような問題点を解決するための一つ方法は新しいシンボルを定義する方法である。即ち、従来のシンボル、例えば、ＯＦＤＭシンボルまたはＳＣ-ＦＤＭＡシンボルより小さい時間区間を有するシンボルを定義することである。このような新しいシンボルを保護区間により浪費される時間区間に適用して無線リソースの浪費を防止することができる。
【００５１】
前記問題点を解決するための他の方法は、基地局、中継局、及び端末間の信号送信/受信サブフレームをオフセット時間または/及び追加的整列情報を介してシフトさせることによって解決することである。
【００５２】
まず、発明を明確にするために用語を定義する。
【００５３】
図９は、伝達遅延時間及びオフセット時間を示す。
【００５４】
図９(ａ)を参照すると、基地局はバックホールダウンリンク送信(Ｂ-ＤＬ Ｔｘ)を実行する。このような場合、中継局がバックホールダウンリンク受信(Ｂ-ＤＬ Ｒｘ)を実行することは伝達遅延時間(ｐｒｏｐａｇａｔｉｏｎ ｄｅｌａｙ ｔｉｍｅ；Ｔｐ)後である。即ち、伝達遅延時間は、ソース局で信号を送信する時間と宛先局が信号を受信する時間において、物理的信号送信により発生する遅延時間である。オフセット時間(ｏｆｆｓｅｔ ｔｉｍｅ；Ｔｏ)は、中継局のバックホールリンクサブフレームとアクセスリンクサブフレームとの間の意図的オフセットを意味する。図９(ａ)で中継局のバックホールダウンリンク受信(Ｂ-ＤＬ Ｒｘ)とアクセスダウンリンク送信(Ａ-ＤＬ Ｔｘ)はオフセット時間(Ｔｏ)を有して実行することができる。前述した伝達遅延時間及び/またはオフセット時間は基地局により中継局及び端末に送信されることができる。基地局は、Ｐ-ＢＣＨの同期化信号を介してオフセット時間を送信することもでき、物理的チャネル、例えば、ＰＤＣＣＨを介してオフセット時間を送信することもできる。中継局または端末は基地局からオフセット時間を受信すると、それによるタイミングにより信号を送信または受信する。
【００５５】
図９(ｂ)は、図９(ａ)の伝達遅延時間を除いて示すものである。伝達遅延時間を除くと、図９(ａ)は、図９(ｂ)のように簡単に表示することができる。以下の説明及び図面で必要によって、伝達遅延時間を除く、基地局、中継局及び端末間の信号送信/受信に対する時間関係を表示する。
【００５６】
図１０ないし図１４は、中継局が基地局からバックホールダウンリンク信号を受信するサブフレームと、中継局が中継局端末にアクセスダウンリンク信号を送信するサブフレームとの時間関係をマクロサブフレームを基準にして示す例である。この時、伝達遅延時間を考慮して表している。
【００５７】
図１０は、基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す。
【００５８】
図１０を参照すると、マクロサブフレームとＢ-ＤＬ Ｔｘサブフレームが整列されている。Ｂ-ＤＬ Ｒｘサブフレームは、伝達遅延時間(Ｔｐ)を考慮してＢ-ＤＬ Ｔｘサブフレームと比較してＴｐほど時間的に後に位置する。Ａ-ＤＬ Ｔｘサブフレームは、Ｂ-ＤＬ Ｒｘサブフレームで固定されたオフセット時間(ｏｆｆｓｅｔ ｔｉｍｅ；Ｔｏ)ほどシフトされて位置する。中継局におけるスイッチング時間がサイクリックプレフィックス(ｃｙｃｌｉｃ ｐｒｅｆｉｘ)より長い場合である。
【００５９】
このような時間関係で中継局がＫ個のシンボルを使用して中継局端末に制御信号を送信すると仮定する。例えば、中継局が中継局端末に制御信号を送信するＲ-ＰＤＣＣＨに使われるシンボルの個数がＫ個であると仮定する(以下、同一)。すると、中継局はシンボルインデックスＭ＝Ｋ＋１からサブフレームの最後のシンボルインデックスまでのシンボルでバックホールダウンリンク信号を受信することができる。例えば、中継局が送信するＲ-ＰＤＣＣＨに使用するシンボルの個数が２個であると仮定すると、中継局はシンボルインデックス３であるシンボルからサブフレームの最後のシンボルであるシンボルインデックス１３までのシンボルを用いてバックホールダウンリンク信号を受信することができる。中継局は、シンボルインデックスが３であるシンボルとシンボルインデックスが１３であるシンボルを使用することができるため、バックホールリンクの可用無線リソースが増加する効果がある。
【００６０】
図１１は、基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【００６１】
このような時間関係は、中継局のスイッチング時間が非常に短い場合(例えば、サイクリックプレフィックスより短い場合)であり、Ｂ-ＤＬ ＲｘサブフレームとＡ-ＤＬ Ｔｘサブフレームが整列されている場合である。中継局で使用するアナログ増幅器の性能によってスイッチング時間が非常に短い。この時、保護区間は、Ｂ-ＤＬ Ｒｘサブフレームのシンボルインデックス２であるシンボルの前、シンボルインデックス１３であるシンボルの後に位置するようになる。保護区間の時間区間がサイクリックプレフィックスより短いため、シンボル間の同期化(ｓｙｎｃｈｒｏｎｉｚａｔｉｏｎ)に影響を及ぼさないと判断される。
【００６２】
このような時間関係で中継局はシンボルインデックスＭ＝Ｋからサブフレームの最後のシンボルインデックスまでのシンボルでバックホールダウンリンク信号を受信することができる。即ち、図１０と比較すると、バックホールダウンリンク信号を受信することができるシンボルインデックスがＫから始まるという相違点がある。
【００６３】
図１２ないし図１４は、基地局のマクロサブフレーム及びＢ-ＤＬ Ｔｘサブフレームと、中継局のＢ-ＤＬ Ｒｘサブフレーム及びＡ-ＤＬ Ｔｘサブフレームとの時間関係を示す他の例である。
【００６４】
図１２を参照すると、基地局のＢ-ＤＬ Ｔｘサブフレームと中継局のＡ-ＤＬ Ｔｘサブフレームが同一な時間に始まる(即ち、同期化されている)。Ｂ-ＤＬ Ｒｘサブフレームは。Ｂ-ＤＬ Ｔｘサブフレームに比べて伝達遅延時間ほど後にシフトされることができる。このような時間関係は、伝達遅延時間Ｔｐが一つのシンボル区間Ｌより短く、伝達遅延時間Ｔｐが保護区間Ｇ１より短く、(Ｔｐ＋保護区間Ｇ２)がシンボル区間Ｌより短い場合である。これは[(Ｔｐ<Ｌ)＆(Ｔｐ<Ｇ１)＆(Ｔｐ＋Ｇ２<Ｌ)、シンボル区間＝Ｌ]のように表現することができる。
【００６５】
中継局は、シンボルインデックスＭがＫ以上であるシンボルからシンボルインデックスがｎであるシンボルまでバックホールダウンリンク信号を受信することができる。前記シンボルインデックスｎは、伝達遅延時間Ｔｐ及びスイッチング時間による保護区間の大きさによって変わることができる。例えば、Ｋ＝２である場合、図１２では中継局がシンボルインデックスＭ＝３から１２までのシンボルを用いてバックホールダウンリンク信号を受信することができる。
【００６６】
図１３は、保護区間Ｇ１が伝達遅延時間Ｔｐより小さく、Ｔｐはシンボル区間Ｌより小さく、Ｔｐと保護区間Ｇ２の和がシンボル区間Ｌより小さい場合である。即ち、[(Ｇ１<Ｔｐ<Ｌ)＆(Ｔｐ＋Ｇ２<Ｌ)、シンボル区間＝Ｌ]である。このような場合、中継局は、シンボルインデックスＭ＝２から１２までのシンボルを用いてバックホールダウンリンク信号を受信することができる。即ち、中継局は、１１個のシンボルをバックホールダウンリンク受信に使用することができる。
【００６７】
図１４は、保護区間Ｇ１が伝達遅延時間Ｔｐより小さく、Ｔｐはシンボル区間Ｌより小さく、Ｔｐと保護区間Ｇ２の和がシンボル区間Ｌより大きい場合である。即ち、[(Ｇ１<Ｔｐ<Ｌ)＆(Ｔｐ＋Ｇ２>Ｌ)、シンボル区間＝Ｌ]である。このような場合、中継局は、シンボルインデックスＭ＝２から１１までのシンボルを用いてバックホールダウンリンク信号を受信することができる。即ち、中継局は、１０個のシンボルをバックホールダウンリンク受信に使用することができる。
【００６８】
図１５ないし図２１は、中継局が基地局にバックホールアップリンク信号を送信するＢ-ＵＬ Ｔｘサブフレームと、中継局が中継局端末からアクセスアップリンク信号を受信するＡ-ＵＬ Ｒｘサブフレームとの時間関係を基地局のマクロサブフレームを基準にして示す例である。この時、伝達遅延時間を考慮して表している。
【００６９】
図１５は、Ｂ-ＵＬ ＴｘサブフレームとＡ-ＵＬ Ｒｘサブフレームが固定されたオフセット値であり、時差をおいている。図１５ではオフセット時間(Ｔｏ)が負の値である場合を例示している。中継局は、ＳＣ-ＦＤＭＡシンボルインデックスが０であるシンボルは穿孔し、ＳＣ-ＦＤＭＡシンボルインデックスが１であるシンボルから１３であるシンボルまで１３個のシンボルを使用してバックホールアップリンク信号を送信することができる(ノーマルＣＰの場合)。即ち、中継局がバックホールアップリンク信号を送信するＢ-ＵＬ Ｔｘサブフレームと、中継局端末からアクセスアップリンク信号を受信するＡ-ＵＬ Ｒｘサブフレームとの間にオフセット時間を設定し、中継局が１３個のシンボルをバックホールアップリンク信号送信に使用することができるようにする。
【００７０】
図１６は、中継局のＢ-ＵＬ ＴｘサブフレームとＡ-ＵＬ Ｒｘサブフレームとの間に時差をおいていない。即ち、オフセット値がない。このような時間関係は、中継局のＢ-ＵＬ ＴｘサブフレームとＡ-ＵＬ Ｒｘサブフレームが整列されており、中継局のスイッチング時間が非常に短い場合(例えば、サイクリックプレフィックスより短い場合)である。中継局のスイッチング時間が非常に短い場合には保護区間が非常に短くても関係ない。従って、中継局のバックホールアップリンク送信とアクセスアップリンク受信とのスイッチングに必要な保護区間がサブフレーム構造にほぼ影響を及ぼさない。中継局は、ＳＣ-ＦＤＭＡシンボルインデックスが０であるシンボルから１３であるシンボルまで１４個のシンボルを使用してバックホールアップリンク信号を送信することができる。
【００７１】
図１７は、中継局のＢ-ＵＬ ＴｘサブフレームとＡ-ＵＬ Ｒｘサブフレームが固定されたオフセット値であり、時差をおいている。オフセット時間が負の値を有する場合を例示している。図１６と比較して相違点は、中継局のＡ-ＵＬ ＲｘサブフレームとＢ-ＵＬ Ｔｘサブフレームとの間に必要な保護区間がＡ-ＵＬ Ｒｘサブフレームに位置する点である。従って、中継局は、ＳＣ-ＦＤＭＡシンボルインデックスが０であるシンボルから１３であるシンボルまで１４個のシンボルの全部を使用してバックホールアップリンク信号を送信することができる(ノーマルＣＰの場合)。反面、Ａ-ＵＬ Ｒｘサブフレームの最後のシンボルに保護区間が位置するため、中継局端末は前記最後のシンボルでＳＲＳを送信するのは難しい。中継局がこのようなＳＲＳを受信することが難しいためである。
【００７２】
図１８は、中継局のＢ-ＵＬ ＴｘサブフレームとＡ-ＵＬ Ｒｘサブフレームが固定されたオフセット値であり、時差をおいている。図１７との相違点は、オフセット時間が正の値を有する場合を例示するという点である。即ち、Ａ-ＵＬ ＲｘサブフレームがＢ-ＵＬ Ｔｘサブフレームよりオフセット時間ほど時間的に先にあるようになる。このような時間関係で中継局はＳＣ-ＦＤＭＡシンボルインデックスが０であるシンボルから１２であるシンボルまで１３個のシンボルを使用してバックホールアップリンク信号を送信することができる(ノーマルＣＰの場合)。Ｂ-ＵＬ Ｔｘサブフレームの最後のシンボル、即ち、シンボルインデックスが１３であるシンボルは保護区間のため使用することができない。
【００７３】
図１９は、中継局のＡ-ＵＬ Ｒｘサブフレームと基地局のＢ-ＵＬ Ｒｘサブフレームが整列されており、Ｂ-ＵＬ Ｔｘサブフレームが伝達遅延時間を考慮して配置される。このような時間関係は、伝達遅延時間Ｔｐと保護区間Ｇ１の和が一つのシンボル区間Ｌより小さく、伝達遅延時間Ｔｐが保護区間Ｇ１より小さく、伝達遅延時間Ｔｐとシンボル区間Ｌの和が保護区間Ｇ２より大きい場合に適用されることができる。即ち、[(Ｔｐ＋Ｇ１<Ｌ)＆(Ｔｐ<Ｇ１)＆(Ｔｐ＋Ｌ>Ｇ２)、シンボル区間＝Ｌ]である場合に適用することができる。
【００７４】
中継局は、Ｂ-ＵＬ ＴｘサブフレームでシンボルインデックスＮが１より大きいシンボルでシンボルインデックスＮが１２であるシンボルまでの区間を用いてバックホールアップリンク信号を送信することができる(ノーマルＣＰの場合)。即ち、１２個のシンボルを使用してバックホールアップリンク信号を送信することができる。
【００７５】
図２０は、図１９と同様に中継局のＡ-ＵＬ Ｒｘサブフレームと基地局のＢ-ＵＬ Ｒｘサブフレームが整列されており、Ｂ-ＵＬ Ｔｘサブフレームが伝達遅延時間を考慮して配置される。図１９との相違点は適用要件の差である。図２０のような時間関係は、伝達遅延時間Ｔｐと保護区間Ｇ１の和が一つのシンボル区間Ｌより小さく、保護区間Ｇ２が伝達遅延時間Ｔｐより小さく、伝達遅延時間Ｔｐはシンボル区間Ｌより小さい場合、このような時間関係が適用されることができる。即ち、[(Ｔｐ＋Ｇ１)<Ｌ＆(Ｇ２<Ｔｐ<Ｌ)、シンボル区間＝Ｌ]である場合に適用されることができる。中継局は、シンボルインデックスＮが１であるシンボルから１３であるシンボルまでの区間を用いてバックホールアップリンク信号を送信することができる(ノーマルＣＰの場合)。即ち、１３個のシンボルを使用してバックホールアップリンク信号を送信することができる。
【００７６】
図２１は、図２０と同様に中継局のＡ-ＵＬ Ｒｘサブフレームと基地局のＢ-ＵＬ Ｒｘサブフレームが整列されており、Ｂ-ＵＬ Ｔｘサブフレームが伝達遅延時間を考慮して配置される。図２１の時間関係が適用される適用要件は、伝達遅延時間Ｔｐと保護区間Ｇ１の和が一つのシンボル区間Ｌより小さく、保護区間Ｇ２が伝達遅延時間Ｔｐより小さく、伝達遅延時間Ｔｐはシンボル区間Ｌより小さい場合である。即ち、[(Ｔｐ＋Ｇ１>Ｌ)＆(Ｇ２<Ｔｐ<Ｌ)、シンボル区間＝Ｌ]である。中継局は、シンボルインデックスＮが２であるシンボルから１３であるシンボルまで１２個のシンボルを用いてバックホールアップリンク信号を送信することができる(ノーマルＣＰの場合)。
【００７７】
以下、基地局、中継局、及び中継局端末を含む無線通信システムにおける各装置がどのような時間関係で動作するかを説明する。
【００７８】
図２２は、基地局、中継局、及び中継局端末を含む無線通信システムにおける時間関係を示す一例である。図２２では伝達遅延時間は示していない。
【００７９】
図２２を参照すると、基地局(ｅＮＢ)と中継局(ＲＮ)または基地局(ｅＮＢ)と中継局端末(ＵＥ)との間にサブフレームの開始位置が同期化されている。中継局は、サブフレーム＃(ｎ＋１)で中継局端末が送信するアクセスアップリンク信号を受信(Ａ-ＵＬ Ｒｘ)し、サブフレーム＃(ｎ＋２)でバックホールアップリンク信号を送信(Ｂ-ＵＬ Ｔｘ)する。図２２に示すように、サブフレーム＃(ｎ＋２)またはサブフレーム＃ｎにおけるバックホールアップリンク信号送信(Ｂ-ＵＬ Ｔｘ)時にサブフレーム内に保護区間が位置するようになるため、サブフレームの全体にわたってバックホールアップリンク信号を送信することができない。中継局は、縮小フォーマット、即ち、サブフレームに含まれた１４個のシンボルのうち最初のシンボル及び最後のシンボルを穿孔し、１２個のシンボルのみを使用してバックホールアップリンク信号を送信するようになる。縮小フォーマットを用いてバックホールアップリンク信号を送信する場合、中継局は、バックホールＳＲＳ(Ｓ’で表示)を送信するためには特殊な形態のＳＲＳを送信すべきである。即ち、１シンボルより小さい区間に対して定義された特殊な形態のＳＲＳを生成し、サブフレームの最後のシンボルでバックホールＳＲＳに送信することである。
【００８０】
図２３は、基地局、中継局、及び中継局端末を含む無線通信システムにおける時間関係を示す他の例である。図２３では伝達遅延時間は示していない。
【００８１】
図２３を参照すると、基地局と中継局との間のサブフレームの時間関係と中継局と中継局端末との間のサブフレームの時間関係において固定された時間ほどオフセットが存在する。サブフレーム＃(ｎ＋１)で中継局のＡ-ＤＬ Ｔｘサブフレーム及びＡ-ＵＬ Ｒｘサブフレーム、中継局端末のＡ-ＤＬ Ｒｘサブフレーム及びＡ-ＵＬ Ｔｘサブフレームは、マクロサブフレームであるＭ-ＤＬ Ｔｘサブフレーム及びＭ-ＵＬ Ｒｘサブフレームを基準にしてＴｏほど先にシフトされている。前述した通り、Ｔｏは基地局により与えられる値であり、バックホールリンクで使われるサブフレームの構造によって決定されることができる。
【００８２】
このような時間関係によって無線通信システムに動作するようになると、中継局は１３個のシンボルを使用してバックホールアップリンク信号を送信することができる(ノーマルＣＰの場合)。即ち、図１８を参照して説明した方法が適用されることができる。
【００８３】
また、中継局は、１０個または１１個のシンボルを介してバックホールダウンリンク信号を受信することができる(ノーマルＣＰの場合)。即ち、図１２ないし図１４を参照して説明した方法のうちいずれか一つが適用されることができる。
【００８４】
図２４は、基地局、中継局、及び中継局端末を含む無線通信システムにおける時間関係を示す他の例である。図２４では伝達遅延時間は示していない。
【００８５】
図２４を参照すると、基地局と中継局との間のサブフレームの時間関係と中継局と中継局端末との間のサブフレームの時間関係において固定された時間ほどオフセットが存在する。サブフレーム＃(ｎ＋１)で中継局のＡ-ＤＬ Ｔｘサブフレーム及びＡ-ＵＬ Ｒｘサブフレーム、中継局端末のＡ-ＤＬ Ｒｘサブフレーム及びＡ-ＵＬ Ｔｘサブフレームは、マクロサブフレームであるＭ-ＤＬ Ｔｘサブフレーム及びＭ-ＵＬ Ｒｘサブフレームを基準にしてＴｏほど後にシフトされている。このような点が図２３との相違点である。前述した通り、Ｔｏは基地局により与えられる値であり、バックホールリンクで使われるサブフレームの構造によって決定されることができる。
【００８６】
このような時間関係によって無線通信システムに動作するようになると、中継局は、１３個のシンボルを使用してバックホールアップリンク信号を送信することができる(ノーマルＣＰの場合)。図１５を参照して説明した方法が適用されることができる。図２３と比較して相違点は、中継局がバックホールアップリンク信号を送信するＢ-ＵＬ Ｔｘサブフレームの最後のシンボルが使用可能であり、マクロサブフレームとシンボル単位の同期が一致するという点である。従って、バックホールＳＲＳ(Ｓ’で表示)をマクロ端末が送信するＳＲＳと多重化して送信することができるという長所がある。または、中継局は１４個のシンボルを全部使用してバックホールアップリンク信号を送信することもできる(ノーマルＣＰの場合)。即ち、図１７を参照して説明した方法が適用されることができる。図１７を参照して説明した方法が適用される場合、Ａ-ＵＬ Ｒｘサブフレームの最後のシンボルで中継局はアクセスアップリンク信号を受信せずに保護区間(Ｇ１)をおく。
【００８７】
また、中継局は、中継局端末に送信するＲ-ＰＤＣＣＨに使われるシンボルの個数がＫ個である場合、シンボルインデックスＫ＋１であるシンボルから最後のインデックスのシンボルまで用いてバックホールダウンリンク信号を受信することができる。即ち、図１０を参照して説明した方法が適用されることができる。
【００８８】
図２５は、基地局、中継局、及び中継局端末を含む無線通信システムにおける時間関係を示す他の例である。図２５では伝達遅延時間は示していない。
【００８９】
図２５を参照すると、基地局のマクロサブフレーム、即ち、Ｍ-ＤＬ ＴｘサブフレームとＭ-ＵＬ Ｒｘサブフレームが整列されていない(ｍｉｓａｌｉｇｎ)。中継局のアクセスサブフレーム、即ち、Ａ-ＤＬ Ｔｘサブフレーム及びＡ-ＵＬ Ｒｘサブフレームは整列されている。中継局のアクセスサブフレームは中継局のバックホールサブフレームとＴｏほどのオフセット時間を有する。即ち、中継局のアクセスサブフレームがバックホールサブフレームに比べてＴｏほど時間的に先にある。このようなオフセット時間により中継局はＢ-ＵＬ Ｔｘサブフレームの１３個のシンボルを使用してバックホールアップリンク信号を送信することができる(ノーマルＣＰの場合)。また、中継局がＢ-ＵＬ ＴｘサブフレームからバックホールＳＲＳ(Ｓ’で表示)を送信する場合、マクロ端末がＳＲＳを送信するシンボルとシンボル単位の同期化が行われるという長所がある。
【００９０】
図２６及び図２７は、基地局、中継局、及び中継局端末を含む無線通信システムにおける時間関係を示す他の例である。図２６及び図２７では伝達遅延時間は示していない。
【００９１】
図２６及び図２７に示すように、基地局はＭ-ＵＬ ＲｘサブフレームをＢ-ＵＬ Ｒｘサブフレームとシンボル単位の同期化が行われるように先にシフトすることができる。基地局のＢ-ＤＬ Ｔｘサブフレームと中継局のＢ-ＤＬ Ｒｘサブフレームは同期化されている。同様に、基地局のＢ-ＵＬ Ｒｘサブフレームと中継局のＢ-ＵＬ Ｔｘサブフレームは同期化されている。中継局でアクセスサブフレーム、即ち、Ａ-ＤＬ Ｔｘサブフレーム及びＡ-ＵＬ Ｒｘサブフレームは同期化されている。
【００９２】
このような時間関係によりＭ-ＵＬ ＲｘサブフレームとＢ-ＵＬ Ｒｘサブフレームはシンボル単位の同期化が行われることができる。すると、中継局はバックホールＳＲＳを１シンボルより小さい時間領域に配置する特殊なＳＲＳを送信しなくてもよいという長所がある。シンボル単位の同期化が行われると、マクロ端末が送信するＳＲＳと中継局が送信するバックホールＳＲＳとの間の干渉が減るようになる。図２７は、図２６に対して保護区間を異なる区間で表示した解釈の差である。
【００９３】
図２８は、基地局、中継局、及び中継局端末を含む無線通信システムにおける時間関係を示す他の例である。図２８では伝達遅延時間は示していない。
【００９４】
図２８を参照すると、基地局のマクロサブフレーム及びバックホールサブフレーム、中継局のバックホールサブフレーム及びアクセスサブフレーム、中継局端末のアクセスサブフレームが全部整列されており、同期化されている。
【００９５】
このような時間関係で基地局はＢ-ＤＬ Ｔｘサブフレームで保護区間のため２個のシンボルが浪費され、同様に、中継局のＢ-ＤＬ Ｒｘサブフレームでも保護区間のため２個のシンボルが浪費される。基地局のＢ-ＵＬ Ｒｘサブフレーム、中継局のＢ-ＵＬ Ｔｘサブフレームも同様である。保護区間を含むシンボルで「Ｕ」で表示された部分が浪費される領域である。このようなシンボルの一部を一部シンボル(ｐａｒｔｉａｌ ｓｙｍｂｏｌ)といい、一部シンボルの浪費問題は前述した通り新しいシンボルを定義して使用することによって解決することができる。
【００９６】
図２９は、基地局、中継局、及び中継局端末を含む無線通信システムにおける時間関係を示す他の例である。図２９では伝達遅延時間を考慮して表示する。
【００９７】
以下、基地局と中継局との間のラウンドトリップ遅延(ｒｏｕｎｄ ｔｒｉｐ ｄｅｌａｙ)時間をＲＴＤeNB-RNと表示し、中継局と中継局端末との間のラウンドトリップ遅延時間をＲＴＤRN-UEと表示する。伝達遅延時間は基地局と中継局との間で(ＲＴＤeNB-RN/２)であり、中継局と中継局端末との間で(ＲＴＤRN-UE/２)である。
【００９８】
図２９を参照すると、基地局でＢ-ＵＬ ＲｘサブフレームはＭ-ＵＬ Ｒｘサブフレームと整列されている。中継局は伝達遅延時間を考慮し、Ｂ-ＵＬ Ｔｘサブフレームが基地局のＢ-ＵＬ Ｒｘサブフレームより(ＲＴＤeNB-RN/２)ほど先に位置することができる。また、中継局のＢ-ＤＬ Ｒｘサブフレームは、基地局のＢ-ＤＬ Ｔｘサブフレームより(ＲＴＤeNB-RN/２)ほど後に位置することができる。このような場合、中継局のＢ-ＵＬ ＴｘサブフレームとＢ-ＤＬ ＲｘサブフレームはＲＴＤeNB-RNほどの差があるように位置することができる。即ち、中継局のバックホールリンクサブフレーム、即ち、Ｂ-ＵＬ Ｔｘサブフレーム及びＢ-ＤＬ Ｒｘサブフレームが整列されていない。中継局でＢ-ＤＬ ＲｘサブフレームとＡ-ＤＬ Ｔｘサブフレームはスイッチングされて使われ、Ｂ-ＵＬ ＴｘサブフレームとＡ-ＵＬ Ｒｘサブフレームがスイッチングされて使われる。このような関係を考慮すると、中継局のＡ-ＤＬ ＴｘサブフレームとＡ-ＵＬ ＲｘサブフレームもＲＴＤeNB-RNほどの差があるように位置すべきである。
【００９９】
中継局と中継局端末との間を考慮する時、アクセスアップリンクの場合、中継局端末は伝達遅延時間を考慮して(ＲＴＤRN-UE/２)ほど先にアクセスアップリンク信号を送信すればよい。即ち、中継局端末のＡ-ＵＬ Ｔｘサブフレームは、中継局のＡ-ＵＬ Ｒｘサブフレームより(ＲＴＤRN-UE/２)ほど先に位置すればよい。アクセスダウンリンクの場合、中継局のＡ-ＤＬ Ｔｘサブフレームが中継局端末のＡ-ＤＬ Ｒｘサブフレームより(ＲＴＤRN-UE/２)ほど先に位置すればよい。然しながら、既に中継局のＡ-ＤＬ ＴｘサブフレームとＡ-ＵＬ Ｒｘサブフレームとの間にＲＴＤeNB-RNほどの差があるため、中継局端末のＡ-ＵＬ ＴｘサブフレームとＡ-ＤＬ ＲｘサブフレームはＲＴＤRN-UEほどの差があることではなく、(ＲＴＤeNB-RN＋ＲＴＤRN-UE)ほどの差があるように位置すべきである。
【０１００】
このような時間関係によると、レガシー端末、例えば、３ＧＰＰ ＬＴＥ ｒｅｌｅａｓｅ ８により動作する端末がセル内に進入する等の理由で最初接続(ｉｎｉｔｉａｌ ａｃｃｅｓｓ)を試す場合、レガシー端末は、宛先局が基地局か或いは中継局か知ることができないため、従来基地局との関係で使用した方法と同一にＰＲＡＣＨプリアンブルを送信する。中継局のセルの大きさが小さい場合にも大きいカバレッジを有するプリアンブルを送信しなければならないという短所がある。然しながら、中継局でバックホールアップリンク信号送信に使用可能な無線リソースを最大化することができるという長所がある。
【０１０１】
図３０は、基地局、中継局、及び中継局端末を含む無線通信システムにおける時間関係を示す他の例である。図３０では伝達遅延時間を考慮して表示する。
【０１０２】
図３０を参照すると、中継局でダウンリンクサブフレーム(即ち、Ｂ-ＤＬ RｘサブフレームとＡ-ＤＬ Ｔｘサブフレーム)とアップリンクサブフレーム(即ち、Ｂ-ＵＬ ＴｘサブフレームとＡ-ＵＬ Ｒｘサブフレーム)が整列されている。中継局のＢ-ＵＬ Ｔｘサブフレーム及びＢ-ＤＬ Ｒｘサブフレームは、基地局のＢ-ＵＬ Ｒｘサブフレーム及びＢ-ＤＬ Ｔｘサブフレームに比べて(ＲＴＤeNB-RN/２)ほど後に位置することができる。
【０１０３】
このような時間関係は、レガシー端末、例えば、３ＧＰＰ ＬＴＥ ｒｅｌｅａｓｅ ８により動作する端末に影響を及ぼさない。ただし、中継局がバックホールアップリンク送信に使用することができるリソースが時間領域でＲＴＤeNB-RNほど減るようになるが、レガシー端末は、従来Ａ-ＤＬ ＲｘサブフレームとＡ-ＵＬ Ｔｘサブフレームとの間の時差を同一に適用して動作することができるという長所がある。また、中継局は、もし、ＲＴＤeNB-RNが保護区間より大きい場合、バックホールＳＲＳをマクロ端末が送信するＳＲＳと多重化して送信することができる。
【０１０４】
以下、サブフレームのシンボル単位に基地局、中継局、及び中継局端末が信号を送信/受信する時間関係を説明する。以下の図面で「Ｇ」が表示された部分は保護区間を意味し、「Ｓ」は端末が基地局に送信するＳＲＳ、「Ｓ’」は中継局が基地局に送信するバックホールＳＲＳを意味する。伝達遅延時間は表示しない。
【０１０５】
図３１は、基地局、中継局、及び中継局端末の時間関係(ｔｉｍｉｎｇ ｒｅｌａｔｉｏｎｓｈｉｐ)を示す一例である。
【０１０６】
図３１を参照すると、Ｍ-ＵＬ Ｒｘサブフレーム、Ｍ-ＤＬ Ｔｘサブフレーム、Ｂ-ＤＬ Ｒｘサブフレーム、Ｂ-ＵＬ Ｔｘサブフレーム、Ａ-ＤＬ Ｒｘサブフレーム、Ａ-ＵＬ Ｔｘサブフレームがサブフレーム境界(ｓｕｂｆｒａｍｅ ｂｏｕｎｄａｒｙ)を基準にして整列(ａｌｉｇｎ)されている。Ｂ-ＤＬ ＲｘサブフレームとＢ-ＵＬ Ｔｘサブフレームはサブフレーム境界は整列されているが、保護区間が含まれてシンボル単位には整列されていない。Ｂ-ＤＬ Ｒｘサブフレームに含まれる保護区間は図３１と異なるシンボルに含まれてもよく、Ｂ-ＵＬ Ｔｘサブフレームで基地局からバックホールダウンリンク信号を受信するシンボルの開始点も図３１と異なってもよい。
【０１０７】
図３２は、基地局、中継局、及び中継局端末の時間関係を示す他の例である。
【０１０８】
図３２を参照すると、Ｍ-ＵＬ Ｒｘサブフレーム及びＭ-ＤＬ Ｔｘサブフレームに対してＢ-ＤＬ Ｒｘサブフレーム、Ｂ-ＵＬ Ｔｘサブフレーム、Ａ-ＤＬ Ｒｘサブフレーム、Ａ-ＵＬ Ｔｘサブフレームがサブフレーム境界を基準にして異なるタイミングを有する。即ち、中継局のＢ-ＤＬ Ｒｘサブフレーム及びＢ-ＵＬ Ｔｘサブフレーム、中継局端末のＡ-ＤＬ Ｒｘサブフレーム、Ａ-ＵＬ Ｔｘサブフレームは、負(ｎｅｇａｔｉｖｅ)のオフセット時間を有する。基地局は、中継局及び中継局端末がこのような時間関係を有するようにオフセット時間に対する情報を送信することができる。Ｂ-ＵＬ ＴｘサブフレームでバックホールＳＲＳが送信されるシンボルは、Ｍ-ＵＬ ＲｘサブフレームでマクロＳＲＳを受信するシンボルとシンボル単位に整列される。
【０１０９】
図３３は、基地局、中継局、及び中継局端末の時間関係を示す他の例である。
【０１１０】
図３３は、図３２と異なって、Ｍ-ＵＬ Ｒｘサブフレーム及びＭ-ＤＬ Ｔｘサブフレームに対して中継局のＢ-ＤＬ Ｒｘサブフレーム及びＢ-ＵＬ Ｔｘサブフレーム、中継局端末のＡ-ＤＬ Ｒｘサブフレーム及びＡ-ＵＬ Ｔｘサブフレームは、正(ｐｏｓｉｔｉｖｅ)のタイミングオフセットを有する。Ｂ-ＵＬ Ｔｘサブフレームで送信されるバックホールＳＲＳは、マクロ端末が送信するマクロＳＲＳ(即ち、Ｍ-ＵＬ Ｒｘで受信するマクロＳＲＳ)と互いに異なるシンボル(Ｂ-ＵＬ Ｔｘサブフレームの１３番目のシンボル)で送信されることができる。従って、マクロＳＲＳとバックホールＳＲＳがサブフレームの最後のシンボル(１４番目のシンボル)で多重化されなければならないものではない。
【０１１１】
図３４は、基地局、中継局、及び中継局端末の時間関係を示す他の例である。
【０１１２】
図３４を参照すると、Ｍ-ＤＬ Ｔｘサブフレーム、Ｂ-ＤＬ Ｒｘサブフレーム、Ａ-ＤＬ Ｒｘサブフレームは、サブフレーム境界を基準にして整列されている。即ち、マクロサブフレームとバックホールサブフレーム及びアクセスサブフレームでダウンリンクサブフレームは、サブフレーム境界を基準にして整列されている。反面、Ｍ-ＵＬ Ｒｘサブフレームに対してＢ-ＵＬ Ｔｘサブフレーム及びＡ-ＵＬ Ｔｘサブフレームは、サブフレーム境界を基準にして整列されていない。基地局は、追加的な時間補正命令(ａｄｄｉｔｉｏｎａｌ ｔｉｍｉｎｇ ａｄｊｕｓｔｍｅｎｔ ｃｏｍｍａｎｄ；ＴＡ’で表示)を中継局や端末に送信することによってこのような時間関係を適用することができる。ここで、追加的な時間補正命令は、伝達遅延時間またはラウンドトリップ時間を補償するために既存の時間補正命令に追加的に送信される信号である。
【０１１３】
既存のレガシー端末は、追加的時間補正命令を理解することができないため、このような時間関係を適用するのは難しいが、追加的な時間補正命令(ＴＡ’)を理解することができる端末には適用することができる。図３４では負の値を有するＴＡ’を実行することを例示している。即ち、Ｂ-ＵＬ Ｔｘサブフレーム及びＡ-ＵＬ Ｔｘサブフレームが時間的に後にシフトされることを例示している。このような時間関係でＢ-ＵＬ Ｔｘサブフレームで送信されるバックホールＳＲＳとマクロＳＲＳはシンボル単位に整列されることができる。
【０１１４】
図３５は、基地局、中継局、及び中継局端末の時間関係を示す他の例である。
【０１１５】
図３５は、図３４と同様に、Ｍ-ＤＬ Ｔｘサブフレーム、Ｂ-ＤＬ Ｒｘサブフレーム、Ａ-ＤＬ Ｒｘサブフレームは、サブフレーム境界を基準にして整列されている。反面、Ｍ-ＵＬ Ｒｘサブフレーム、Ｂ-ＵＬ Ｔｘサブフレーム、Ａ-ＵＬ Ｔｘサブフレームは、サブフレーム境界を基準にして整列されていない。図３５と図３４との相違点は、追加的な時間補正命令が正の値に設定されることである。即ち、Ｂ-ＵＬ Ｔｘサブフレーム及びＡ-ＵＬ Ｔｘサブフレームが時間的に先にシフトされることを例示している。
【０１１６】
図３６は、基地局、中継局、及び中継局端末の時間関係を示す他の例である。
【０１１７】
Ｍ-ＤＬ Ｔｘサブフレーム、Ｂ-ＤＬ Ｒｘサブフレーム、Ａ-ＤＬ Ｒｘサブフレームは、サブフレーム境界を基準にして整列されている。Ｍ-ＵＬ Ｒｘサブフレーム、Ｂ-ＵＬ Ｔｘサブフレーム、Ａ-ＵＬ Ｔｘサブフレームに対して正の値を有する時間補正命令が適用される。図３５と比較すると、Ｂ-ＵＬ Ｔｘサブフレーム及びＡ-ＵＬ Ｔｘサブフレームがシフトされる程度が１シンボル以上であるという差がある。例えば、(１シンボル＋保護区間)ほどＢ-ＵＬ Ｔｘサブフレーム及びＡ-ＵＬ Ｔｘサブフレームが先にシフトされることができる。Ｂ-ＵＬ ＴｘサブフレームとＡ-ＵＬ Ｔｘサブフレームが全部先にシフトされるため、時間的に互いに重ならない。
【０１１８】
Ｂ-ＵＬ Ｔｘサブフレームが１シンボル以上先にシフトされる場合、保護区間を除いた最初のシンボルでバックホールＳＲＳを送信することができる。そのようにすると、図３６に示すように、Ｍ-ＵＬ ＲｘのマクロＳＲＳと比較してシンボル単位に整列されることができる。マクロＳＲＳとバックホールＳＲＳが多重化されて送信されることができるため、Ｍ-ＵＬ Ｒｘで受信されるＰＵＳＣＨ、ＰＵＣＣＨと衝突を避けることができる。
【０１１９】
バックホールＳＲＳを送信するＢ-ＵＬ Ｔｘサブフレームでバックホールアップリンクデータを送信することができるシンボルの数を増加させるために、基地局は、マクロ端末に常に縮小フォーマット(ｓｈｏｒｔｅｎｅｄ ｆｏｒｍａｔ)でデータを送信するようにすることができる。例えば、マクロＳＲＳの送信可否と関係なしに常にマクロ端末が縮小フォーマットでデータを送信するようにすることである。または、マクロ端末がマクロＳＲＳを送信しないサブフレームを中継局に知らせ、基地局はそのようなサブフレームを縮小フォーマットを使用するサブフレームに設定することができる。すると、中継局は、バックホールＳＲＳの送信可否、Ｒ-ＰＵＳＣＨのフォーマットなどを決定する時、使用可能なバックホールリソースの量を考慮することができる。マクロＳＲＳ送信タイミング及びバックホールＳＲＳ送信タイミング情報を基地局と中継局との間に共有することによってリソース活用を高めることができる。
【０１２０】
図３７及び図３８は、バックホールＳＲＳを送信するＢ-ＵＬ Ｔｘサブフレームのシンボルインデックスを例示する。
【０１２１】
図３７及び図３８で示すように、Ｂ-ＵＬ Ｔｘサブフレームの保護区間を除いた最初のシンボルでバックホールＳＲＳを送信することができる。このような場合、Ｂ-ＵＬ Ｔｘサブフレームのシンボルインデックスは、保護区間を除いた時間区間でシンボル単位(例えば、ＯＦＤＭシンボルまたはＳＣ-ＦＤＭＡシンボル単位)にインデックスを付与することができる。図３７ではバックホールＳＲＳが送信される最初のシンボルのインデックスを１２に設定し、以後のシンボルに対して順に０から１１までのインデックスを付与している。このようなシンボルインデックス付与方法により物理的リソース位置にもかかわらず、バックホールＳＲＳは常にシンボル１２で送信されると表現することができる。図３８ではバックホールＳＲＳが送信される最初のシンボルのインデックスを０に設定し、以後のシンボルに対して順に１から１２までのインデックスを付与している。バックホールＳＲＳが送信される場合、Ｂ-ＵＬ Ｔｘサブフレームで１３個のシンボルが使われ、バックホールＳＲＳが送信されない場合、Ｂ-ＵＬ Ｔｘサブフレームで１２個のシンボルが使われることができる。
【０１２２】
図３９は、ソース局及び宛先局を示すブロック図である。
【０１２３】
ソース局１０は基地局であり、ソース局１０は、プロセッサ(ｐｒｏｃｅｓｓｏｒ)１１、メモリ(ｍｅｍｏｒｙ)１２、及びＲＦ部(ＲＦ(ｒａｄｉｏ ｆｒｅｑｕｅｎｃｙ)ｕｎｉｔ)１３を含む。プロセッサ１１は提案された機能、過程及び/または方法を具現する。即ち、宛先局に同期信号を送信し、オフセット時間、追加的な時間補正命令(ＴＡ’)を送信することができる。無線インターフェースプロトコルの階層はプロセッサ１１により具現されることができる。メモリ１２は、プロセッサ１１と連結され、プロセッサ１１を駆動するための多様な情報を格納する。ＲＦ部１３は、プロセッサ１１と連結され、無線信号を送信及び/または受信する。
【０１２４】
宛先局２０は、端末、即ち、中継局、マクロ端末または中継局端末である。宛先局２０は、プロセッサ２１、メモリ２２、及びＲＦ部２３を含む。プロセッサ２１は、同期信号、オフセット時間、追加的な時間補正命令を受信し、信号を送信または受信するサブフレームの時間を決定する。無線インターフェースプロトコルの階層はプロセッサ２１により具現されることができる。メモリ２２は、プロセッサ２１と連結され、プロセッサ２１を駆動するための多様な情報を格納する。ＲＦ部２３は、プロセッサ２１と連結され、無線信号を送信及び/または受信する。
【０１２５】
プロセッサ１１、２１は、ＡＳＩＣ(ａｐｐｌｉｃａｔｉｏｎ-ｓｐｅｃｉｆｉｃ ｉｎｔｅｇｒａｔｅｄ ｃｉｒｃｕｉｔ)、他のチップセット、論理回路、データ処理装置及び/またはベースバンド信号及び無線信号を相互変換する変換器を含むことができる。 メモリ１２、２２は、ＲＯＭ(ｒｅａｄ-ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/または他の格納装置を含むことができる。ＲＦ部１３、２３は、無線信号を送信及び/または受信する一つ以上のアンテナを含む。実施例がソフトウェアで具現される時、前述した技法は前述した機能を遂行するモジュール(過程、機能など)で具現されることができる。モジュールは、メモリ１２、２２に格納され、プロセッサ１１、２１により実行されることができる。メモリ１２、２２は、プロセッサ１１、２１内部または外部にあり、よく知られた多様な手段でプロセッサ１１、２１と連結されることができる。
【０１２６】
以上、本発明に対して実施例を参照して説明したが、該当技術分野の通常の知識を有する者は、本発明の技術的思想及び領域から外れない範囲内で本発明を多様に修正及び変更させて実施することができることを理解することができる。従って、本発明は、前述した実施例に限定されず、特許請求の範囲内の全ての実施例を含む。
【図１】
0005373924.tif 000002
【図２】
0005373924.tif 000003
【図３】
0005373924.tif 000004
【図４】
0005373924.tif 000005
【図５】
0005373924.tif 000006
【図６】
0005373924.tif 000007
【図７】
0005373924.tif 000008
【図８】
0005373924.tif 000009
【図９】
0005373924.tif 000010
【図１０】
0005373924.tif 000011
【図１１】
0005373924.tif 000012
【図１２】
0005373924.tif 000013
【図１３】
0005373924.tif 000014
【図１４】
0005373924.tif 000015
【図１５】
0005373924.tif 000016
【図１６】
0005373924.tif 000017
【図１７】
0005373924.tif 000018
【図１８】
0005373924.tif 000019
【図１９】
0005373924.tif 000020
【図２０】
0005373924.tif 000021
【図２１】
0005373924.tif 000022
【図２２】
0005373924.tif 000023
【図２３】
0005373924.tif 000024
【図２４】
0005373924.tif 000025
【図２５】
0005373924.tif 000026
【図２６】
0005373924.tif 000027
【図２７】
0005373924.tif 000028
【図２８】
0005373924.tif 000029
【図２９】
0005373924.tif 000030
【図３０】
0005373924.tif 000031
【図３１】
0005373924.tif 000032
【図３２】
0005373924.tif 000033
【図３３】
0005373924.tif 000034
【図３４】
0005373924.tif 000035
【図３５】
0005373924.tif 000036
【図３６】
0005373924.tif 000037
【図３７】
0005373924.tif 000038
【図３８】
0005373924.tif 000039
【図３９】
0005373924.tif 000040